(57)【特許請求の範囲】
【請求項１】
商品の陳列室を照明する蛍光灯を天井部に備え、該蛍光灯のカバーとなる半透明のシェードを天井部前端に備えた複数台の冷凍・冷蔵ショーケースを、横並びに設置する場合において、
前記横並びに設置したショーケースのうち隣接するショーケースのシェード側端面同士を当接させ、この当接させたシェード裏面の両端に、ショーケース本体の相互間の継ぎ目に跨って、双方のシェードの裏面側に双方のシェードと重ね合わされて組み付けられ、その上部にショーケース本体の照明ブラケットにネジ止めされる孔を、その下部に双方のシェードの庫内側の鍔部を係合する溝を有する透明体の固定連結具を係合し、該固定連結具をショーケース本体に取り付けて固定したことを特徴とする冷凍・冷蔵ショーケースのシェード連結構造。
【請求項２】
前記シェード裏面の中間部に、シェードの中間部の裏面側にシェードと重ね合わされて組み付けられ、その上部にケース本体の照明ブラケットにネジ止めされる孔を、その下部にシェード中間部の庫内側の鍔部を係合する溝を有する透明体の固定具を係合し、該固定具をショーケース本体に取り付けてシェードの垂れ下がりを防止したことを特徴とする請求項１記載の冷凍・冷蔵ショーケースのシェード連結構造。
【発明の詳細な説明】
【０００１】
【発明の属する技術分野】
本発明は、陳列室前面上部に、該陳列室を照明する蛍光灯を有し、該蛍光灯を覆う半透明のシェードが、複数台並置して据え付けられたショーケースに亘って連結される冷凍・冷蔵ショーケースのシェード連結構造に関する。
【０００２】
【従来の技術】
まず、ショーケース３１の一例を図５に示す。この種オープン形のショーケース３１は、略断面コ字状のケーシング３２内の天板３３の前側に、ハニカム状の冷気吹出口３４を持ち、該吹出口３４から冷気をエアカーテンとして整流して吹き出し、ケーシング３２の前面パネル３５内側の吸込口３６より冷気を吸い込むことにより陳列室３７内の陳列食品等を冷却するようにしている。吸込口３６から吸い込まれた空気は、底部ダクト３８内をファン３９により誘引され、冷却器４０で冷やされ、ショーケース３１の背面ダクト４１及び天井ダクト４２を通り、再び冷気吹出口３４より吹き出される。なお、４３は陳列棚である。
【０００３】
そして、図６に示すように、陳列室３７の前面上部には、陳列室３７を照明する蛍光灯４４が設けられ、この蛍光灯４４を覆って半透明のシェード４５が、並置して据え付けられた複数台ショーケース３１，３１に亘って連結されている。なお、４６は蛍光灯保持具、４７はグローランプである。
【０００４】
このＬ字状のシェード４５は、軽量化を図るためにそれ自体の板厚が約１．０ｍｍと薄く形成してあるため歪みが生じやすく、また、複数台のショーケース３１，３１を連結した際は、蛍光灯の交換時に、シェード４５，４５間からその蛍光灯を出し入れする必要があるため、ある程度の間隙Ｌをこのシェード間に設ける必要がある。
しかし、そのままでは蛍光灯の光が漏れてしまう等の問題があるため、従来は、図６及び図７に示すように、シェード４５，４５間の外表面側から寸法調整用の連結金具４８などをネジ止めし、この間隙Ｌをうめていた。
【０００５】
【発明が解決しようとする課題】
しかしながら、シェード４５，４５間の外側に、連結金具４８等をネジ止めすると、シェード４５，４５と連結金具４８の間に段差が生じ、見栄えが悪いとともに、この段差のために、連続した長い、裏面が弱粘着体で形成された半透明の販促シート（ＰＯＰ）をシェードの表面に貼るなどして使用することができなかった。
また、シェードは半透明で光を通すのに対し、連結金具４８は光を通さないので、連結部に暗部ができ、この点からも見栄えが悪かった。
【０００６】
本発明は、上記の課題に鑑み、創案されたもので、段差を生じない、従って、連続した長い販促シート（ＰＯＰ）を使用することができるとともに、シェード表面に暗部が生じない見栄えのよい冷凍・冷蔵ショーケースのシェード連結構造を提供することを目的とする。
【０００７】
【課題を解決するための手段】
上記の課題を解決するため、本発明においては、商品の陳列室を照明する蛍光灯を天井部に備え、該蛍光灯のカバーとなる半透明のシェードを天井部前端に備えた複数台の冷凍・冷蔵ショーケースを、横並びに設置する場合において、隣接するショーケースのシェード側端面同士を当接させるとともに、この当接させたシェード裏面の両端に透明体からなる固定連結具を係合し、該固定連結具をショーケース本体に取り付けて固定したものである。
【０００８】
また、前記固定連結具は、ショーケース本体の相互間の継ぎ目に跨って、双方のシェードの裏面側に双方のシェードと重ね合わされて組み付けられ、その上部にケース本体の照明ブラケットにネジ止めされる孔を、その下部に双方のシェードの庫内側の鍔部を係合する溝を備えている。なお、この固定連結具は透明体であるため、シェード部に固定連結具の影が映り込まないで済む。
【０００９】
さらに本発明においては、前記シェード裏面の中間部に透明体からなる固定具を係合し、該固定具をショーケース本体に取り付けてシェードの垂れ下がりを防止することもできる。この固定具は、シェードの中間部の裏面側にシェードと重ね合わされて組み付けられ、その上部にケース本体の照明ブラケットにネジ止めされる孔を、その下部にシェード中間部の庫内側の鍔部を係合する溝を有する構造のものが好適である。この固定具は透明体であるため、シェード部に固定具の影が映り込まないで済む。
なお、本発明のシェードとしては、厚さを２．０〜３．０ｍｍ程度に厚くし、歪みを防止できるようにしたものを用いるのが好ましい。
【００１０】
本発明は、上記構成を採用したことにより、シェードの外表面に、従来のような連結金具を被せる必要がなくなって段差が生せず、見栄がよい。また、シェード表面に連続した長い販促シート（ＰＯＰ）を貼付等の手段で使用することができる。
【００１１】
【発明の実施の形態】
以下、本発明の好ましい実施の形態を図面に基づいて説明する。
図１は本発明適用されるショーケースの陳列室上部の断面側面図、図２はシェードの端面が取り付けられる固定連結具の斜視図、図３はシェードの中間部が取り付けられる固定具の斜視図である。
【００１２】
まず、図１に示すように、このショーケース１は、二重のエアカーテン構造を持つもので、上層の非冷空気のエアカーテンが下層の冷気のエアカーテンを保護するようになっている。２つのハニカム状の吹出口（非冷空気吹出口２及び冷気吹出口３）から吹き出されたそれぞれの空気は別々に吸い込む吸込口（図示せず）を通ってそれぞれのファン（図示せず）により誘引され、冷気側の空気のみが冷却器（図示せず）により冷やされ、それぞれ非冷空気ダクト（外層ダクト）４，冷気ダクト（内層ダクト）５を通って、再び吹出口２，３から下方に向けて吹き出される構造となっている。
【００１３】
この陳列室６の前面上部には、陳列室６を照明する蛍光灯７が、蛍光灯保持具８を介して本体の照明ブラケット９に固定されている。
この蛍光灯７は、前面側を半透明のシェード１０によって覆われており、シェード１０は、断面Ｃ字状又は断面逆コ字状形状を呈し、上部を天板１１に固定し、複数台並置して据え付けられたショーケース１，１・・・に亘って連結されている。なお、１２は安定器である。
【００１４】
前記シェード１０は、寸法精度を向上させるとともに、歪みをなくすために、板厚を、２．０〜３．０ｍｍ程度まで厚くするとともに、シェード１０，１０の側端面を、シェード１０，１０の側端面同士が連結時に重なり合ったりせず、シェード１０，１０の側端面同士が当接して擦り合うように構成されている。
即ち、図４に示すものは、やや板厚（２．０〜３．０ｍｍ）のシェードであり、板厚であるが故に、その側端面同士がうまく当接して擦り合うようになっている。なお、このシェードの側端面には固定連結具１３との係合部以外の箇所を折り曲げてフランジ面を作ってもよい。
【００１５】
そして、シェード１０，１０の裏面の端部には、ショーケース本体の相互間の継ぎ目に跨って、双方のシェード１０，１０と重ね合わせて、固定連結具１３が組み付けられる。
固定連結具１３は、図２に示すように、電車などの駅舎のプラットフォーム状の形状をしており、その上部（屋根）に、それぞれケース本体の照明ブラケット９，９にネジ止めされる双方の孔１４，１５を、その下部（フォーム下）に双方のシェード１０，１０の庫内側の鍔部１０ａ，１０ａを係合する溝１６を有している。
この固定連結具１３は、アクリル又はポリカーボネート等の透明体の成形品であると、シェードに影が映らず見栄えを害さないため、好適である。
【００１６】
なお、シェード１０の裏面の中間部には、シェード１０と重ね合わせて、固定具１７が組み付けられる。
この固定具１７は、シェード１０のエンド部を取り付けるときにも用いられるもので、図３に示すように、固定連結具１３と同様の形状をしており、長さが固定連結具１３より短く、その上部（屋根）にケース本体の照明ブラケット９にネジ止めされる一つの孔１８を、その下部（フォーム下）にシェード１０の庫内側の鍔部１０ａを係合する溝１９を有している。
この固定具１７も、アクリル又はポリカーボネートなどの透明体の成形品であると、シェード１０に影が映らず見栄えを害さないため、好適である。
【００１７】
このようにショーケースのシェード連結構造を構成すると、結果的にシェード１０の外表面に連結金具が不要となる。そのため、シェード１０の外表面に段差がなくなり、見栄がよくなるとともに、連続した長い、裏面が弱粘着体で形成された半透明の販促シート（ＰＯＰ）を、違和感なくシェード１０の外表面に貼ることができる。
【００１８】
【発明の効果】
以上説明したように、本発明の冷凍・冷蔵ショーケースのシェード連結構造によれば、次のような効果を奏する。
（１）ショーケースを複数台連結して使用する場合、シェード外表面に連結金具を使用しないため、連続した長い販促シート（ＰＯＰ）をシェード外表面に貼り付けて使用することができる。
（２）シェード両端の連結固定具、中間部の固定具を透明仕様にしたことで、シェード部に固定具等の影が映り込まないようになった。
（３）シェード部分に段差が無いため、連結された場合には、見栄えがよく、長尺ショーケースのようにすっきりしていて、連続感がある。
（４）シェードの中間位置にも固定具を用いることにより、長尺のショーケースでもシェードが歪んで垂れ下がるようなことはない。
【図面の簡単な説明】
【図１】  本発明が適用される陳列室前面上部の断面側面図である。
【図２】  シェード端面が取り付けられる固定連結具の斜視図である。
【図３】  シェードの中間部が取り付けられる固定具の斜視図である。
【図４】  シェード同士が擦り合うようにしたシェードの側端面の構造の一例を示す斜視図である。
【図５】  従来のショーケースの一例を示す断面側面図である。
【図６】  従来のショーケースの陳列室前面上部の断面側面図である。
【図７】  従来のショーケースのシェードの連結構造を示す斜視説明図である。
【符号の説明】
１  ショーケース
２  非冷空気吹出口
３  冷気吹出口
４  非冷空気ダクト（外層ダクト）
５  冷気ダクト（内層ダクト）
６  陳列室
７  蛍光灯
８  蛍光灯保持具
９  照明ブラケット
１０  シェード
１０ａ  鍔部
１１  天板
１２  安定器
１３  固定連結具
１４  孔
１５  孔
１６  溝
１７  固定具
１８  孔
１９  溝
【図１】
0004151769.tif 000002
【図２】
0004151769.tif 000003
【図３】
0004151769.tif 000004
【図４】
0004151769.tif 000005
【図５】
0004151769.tif 000006
【図６】
0004151769.tif 000007
【図７】
0004151769.tif 000008